(57)【要約】【課題】簡単な構成で、省スペースでしかも汎用性に優れたディスクドライブ装置を提供する。【解決手段】トレイ２の上面には、ディスクが載置され位置決めされる、例えば円形の凹部２ａが設けられている。凹部２ａの奥側略半分の周縁部２ａａは、外側との段差が大きくなっており、深い窪みを形成している。一方、凹部２ａの手前側略半分の周縁部２ａｂは、外側との段差が小さくなっており、浅い窪みを形成している。これにより、半開きモードでトレイがディスク直径の略半分の距離だけしかせり出さなかった場合でも、トレイ２上のディスク４を手前に滑らせて取り出すことができ、また逆に、ディスク４を手前から滑らせてトレイ２上に載置することもできる。【選択図】      図１
2004265555.tif 000002
【特許請求の範囲】
【請求項１】
ディスクを載置して筐体内に挿入し、挿入されたディスクを筐体から排出するトレイ部材を有し、ディスク排出時に前記トレイ部材が、ディスク直径の略半分の距離だけ前記筐体からせり出す半開きモードと、ディスクの直径分以上の距離だけ前記筐体からせり出す全開きモードとを備えたディスクドライブ装置において、
前記トレイ部材上面に設けられ、ディスクが載置される凹部は、奥側略半分に深い窪みを形成して成り、手前側略半分に浅い窪みを形成して成るとともに、
前記トレイ部材先端に扉を設け、前記トレイ部材が前記筐体からせり出したときは、前記扉が降下して前記トレイ部材上面前方を開放し、前記トレイ部材が前記筐体内に引き込まれたときは、前記扉がせり上がり前記筐体に開けられた前記トレイ部材の出入口を閉じることを特徴とするディスクドライブ装置。
【請求項２】
ディスクを載置して筐体内に挿入し、挿入されたディスクを筐体から排出するトレイ部材を有し、ディスク排出時に前記トレイ部材が、ディスク直径の略半分の距離だけ前記筐体からせり出す半開きモードと、ディスクの直径分以上の距離だけ前記筐体からせり出す全開きモードとを備えたディスクドライブ装置において、
前記トレイ部材上面に設けられ、ディスクが載置される凹部は、奥側略半分に深い窪みを形成して成り、手前側略半分に浅い窪みを形成して成るとともに、
前記トレイ部材の奥側で該トレイ部材に載置されたディスクを受け止める第１のレバーと、該第１のレバーに連動して前記トレイ部材の手前側でディスクを固定する第２のレバーと、前記トレイ部材が前記筐体からせり出すときに前記第２のレバーによるディスクの固定を解除する第３のレバーを設けたことを特徴とするディスクドライブ装置。
【請求項３】
ディスクを載置して筐体内に挿入し、挿入されたディスクを筐体から排出するトレイ部材を有し、ディスク排出時に前記トレイ部材がディスク直径の略半分の距離だけ前記筐体からせり出す半開きモードを備えたディスクドライブ装置において、
前記トレイ部材上面に設けられ、ディスクが載置される凹部は、奥側略半分に深い窪みを形成して成り、手前側略半分に浅い窪みを形成して成ることを特徴とするディスクドライブ装置。
【請求項４】
前記トレイ部材先端に扉を設け、前記トレイ部材が前記筐体からせり出したときは、前記扉が降下して前記トレイ部材上面前方を開放し、前記トレイ部材が前記筐体内に引き込まれたときは、前記扉がせり上がり前記筐体に開けられた前記トレイ部材の出入口を閉じることを特徴とする請求項３に記載のディスクドライブ装置。
【請求項５】
前記トレイ部材の奥側で該トレイ部材に載置されたディスクを受け止める第１のレバーと、該第１のレバーに連動して前記トレイ部材の手前側でディスクを固定する第２のレバーと、前記トレイ部材が前記筐体からせり出すときに前記第２のレバーによるディスクの固定を解除する第３のレバーを設けたことを特徴とする請求項３に記載のディスクドライブ装置。
【請求項６】
ディスク排出時に前記トレイ部材がディスクの直径分以上の距離だけ前記筐体からせり出す全開きモードを備えたことを特徴とする請求項３〜請求項５のいずれかに記載のディスクドライブ装置。
【発明の詳細な説明】
【０００１】
【発明の属する技術分野】
本発明は、ＣＤやＤＶＤ等のディスクを挿入及び排出するトレイを備えた、ディスクドライブ装置に関するものである。
【０００２】
【従来の技術】
従来より、このようなディスクドライブ装置においては、装置本体からトレイを引き出し、その上面の凹部にディスクを載置し、トレイごとディスクを装置本体に引き込ませる方式が主に用いられている。図５は、このような従来のディスクドライブ装置のトレイの構成例を模式的に示す図であり、同図（ａ）は平面図、同図（ｂ）は側面断面図である。
【０００３】
同図において、１はディスクドライブ装置本体側の筐体、２はトレイ、３はトレイ先端に設けられた扉である。扉３は、トレイ２が筐体１に引き込まれたときに、筐体１に開けられたトレイ２の出入口（不図示）を閉じる働きをする。トレイ２の上面には、ディスク４が載置され位置決めされる例えば円形の凹部２ａが設けられている。なお、同図はトレイ２が筐体１からせり出した様子を示している。
【０００４】
同図に示すように、装置に対してディスク４の挿入或いは排出を行う際は、従来より、筐体１からトレイ２を少なくともディスク４の直径分以上せり出すようになっている。そして、その状態でディスク４を同図（ｂ）の矢印で示すように、トレイ２の上方からディスク４を載置し、或いは上方へディスク４を取り出す構成となっている。
【０００５】
ところが、このような従来の構成では、トレイ２が少なくともディスク４の直径分だけ筐体１の前面より突出するので、筐体１の正面に対向して物を置くには、筐体１からディスク４の直径分以上離さなければならず、無駄な空間が大きくなっていた。また、このようにトレイ２が大きく突出すると、装置の安定性が悪く、ディスク４の装着操作或いは取り出し操作がやりにくくなることがあった。
【０００６】
そこで、このような不具合点を解消するために、以下に示す構成のものが提案されている。一つには、キャビネットの上に物を置くことができるとともに、キャビネットの正面近傍に物を置くことができるディスク記録又は再生装置が開示されている（例えば、特許文献１参照。）。
【０００７】
具体的な構成を述べると、キャビネットの天面には、ディスクの通過を許す切り欠きが開設され、キャビネットとトレイの間には、閉位置のトレイに被さり切り欠きを覆う第１の位置と、第１の位置から後退して切り欠きから外れた第２の位置との間を移動するカバー体が配備され、トレイとカバー体の間には、トレイの移動に連繋してカバー体をトレイとは逆向きに第１の位置と第２の位置との間で移動させる搬送機構が配備され、トレイ及びカバー体は、ディスクの直径の略半分の距離だけ移動するものとしている。
【０００８】
この構成により、トレイが閉位置にあるときは、キャビネットの上に物を置くことができ、またトレイが開位置にあるときは、トレイの上方はディスクの直径に略等しい前後長さだけ開いているので、ディスクを切り欠きを通ってトレイに載置することができるとしている。そして、トレイがキャビネットから突出する量を従来よりも少なくでき、キャビネットの正面近傍に物を置くことができるとしている。また、カバー体の移動量は、ディスクの直径の略半分であるから、キャビネットの奥行きはディスク直径分の長さだけあれば良く、キャビネットは前後に長くならないとしている。
【０００９】
また、もう一つには、装置の安定性が悪くディスクの装着操作或いは取り出し操作がやりにくいといった課題を解決するディスク装置が開示されている（例えば、特許文献２参照。）。
【００１０】
具体的な構成を述べると、手動操作により筐体内のディスク装着位置又は筐体外に引き出されたディスク交換位置に移動するトレーと、該トレーをディスク装着位置に係止する係止機構と、該係止機構により前記ディスク装着位置に係止されたトレーを覆うカバーと、該係止機構による係止を解除させる係止解除部材と、を有するディスク装置において、前記トレーが前記ディスク交換位置に移動するのに連動して前記カバーの一部が開くように動作させ、前記トレーが前記ディスク装着位置に移動するのに連動して前記カバーの一部を閉じるように動作させるカバー開閉機構を設けてなるものとしている。
【００１１】
この構成により、トレーがディスク交換位置に移動するのに連動してカバーの一部が開くように動作させることができるので、トレーの引き出し途中でトレーの上面を開放することができ、従来のようにトレー全体を装置から引き出さずにディスク装着操作或いはディスク取り出し操作を行うことができるとしている。また、トレーの引き出し操作による重心の移動距離が短くなり、トレー引き出し操作時の装置安定性が確保され、ディスク装着操作或いはディスク取り出し操作が容易に行えるとしている。
【００１２】
【特許文献１】
特開２００２−２３０９５４号公報
【特許文献２】
特開平１０−１４３９６５号公報
【００１３】
【発明が解決しようとする課題】
しかしながら、上記特許文献１に記載されているような構成では、キャビネットの天面に開設された切り欠きに跨って、そのキャビネットの上に物を置いた場合は、置いた物が切り欠きを塞いでしまう状態となる。そして、トレイが開位置となってもトレイの奥半分は前記物により塞がれたままであるので、ディスクをトレイに載置又は取り外しすることができなくなってしまう。
【００１４】
また、このような構成のディスク装置を、例えばＣＤ−ＲＯＭドライブやＤＶＤ−ＲＯＭドライブ等として、パソコン筐体に組み込む仕様とする場合、パソコン筐体の最上段のスペースにしか組み込むことができず、しかもパソコン筐体自体の天面が開く構造としなければならない。即ち、通常は外付け用としてしか使用できないので、非常に汎用性に乏しい構成となってしまう。
【００１５】
次に、上記特許文献２に記載されているような構成では、カバーが邪魔になって特許文献１のように筐体上に物を置くことすらできないばかりか、特許文献１と同様の理由で、パソコンに対して通常は外付け用としてしか使用できないので、非常に汎用性に乏しい構成となってしまう。
【００１６】
本発明は、以上のような問題点に鑑み、簡単な構成で、省スペースでしかも汎用性に優れたディスクドライブ装置を提供することを目的とする。
【００１７】
【課題を解決するための手段】
上記目的を達成するために、本発明では、ディスクを載置して筐体内に挿入し、挿入されたディスクを筐体から排出するトレイ部材を有し、ディスク排出時に前記トレイ部材がディスク直径の略半分の距離だけ前記筐体からせり出す半開きモードを備えたディスクドライブ装置において、
前記トレイ部材上面に設けられ、ディスクが載置される凹部は、奥側略半分に深い窪みを形成して成り、手前側略半分に浅い窪みを形成して成ることを特徴とする。
【００１８】
また、前記トレイ部材先端に扉を設け、前記トレイ部材が前記筐体からせり出したときは、前記扉が降下して前記トレイ部材上面前方を開放し、前記トレイ部材が前記筐体内に引き込まれたときは、前記扉がせり上がり前記筐体に開けられた前記トレイ部材の出入口を閉じることを特徴とする。
【００１９】
或いは、前記トレイ部材の奥側でそのトレイ部材に載置されたディスクを受け止める第１のレバーと、その第１のレバーに連動して前記トレイ部材の手前側でディスクを固定する第２のレバーと、前記トレイ部材が前記筐体からせり出すときに前記第２のレバーによるディスクの固定を解除する第３のレバーを設けたことを特徴とする。
【００２０】
さらに、ディスク排出時に前記トレイ部材がディスクの直径分以上の距離だけ前記筐体からせり出す全開きモードを備えたことを特徴とする。
【００２１】
【発明の実施の形態】
以下、本発明の実施の形態について、図面を参照しながら説明する。本発明のディスクドライブ装置は、ディスク排出時にトレイがディスクの直径分以上の距離を移動する（せり出す）全開きモードと、ディスク排出時にトレイがディスク直径の略半分の距離だけ移動する（せり出す）半開きモードとを備えている。そして、トレイ半開き時でもディスクの出し入れがしやすいように、トレイ構造のみに特徴がある構成となっている。
【００２２】
また、通常は全開きモードとなっていて、ディスク排出時に例えば図示しないイジェクトボタンを長押しする、即ち所定の時間（秒数）以上押し続けることにより、半開きモードに切り替わって、トレイがディスク直径の略半分の距離だけ移動する構成となっている。或いは、逆に通常は半開きモードとなっていて、イジェクトボタンを長押しすることにより、全開きモードに切り替わって、トレイがディスクの直径分以上の距離を移動する構成としても良い。但し、このようなモード切替操作は、イジェクトボタンの押し方を変えるといった構成のみに限定される訳ではない。
【００２３】
図１は、本発明の第１の実施形態に係るディスクドライブ装置の、トレイの構成を模式的に示す図であり、同図（ａ）は平面図、同図（ｂ）は側面断面図である。同図において、１はディスクドライブ装置本体側の筐体、２はトレイ、３はトレイ先端に設けられた扉である。トレイ２の上面には、ディスク４（ここでは不図示）が載置され位置決めされる、例えば円形の凹部２ａが設けられている。この凹部２ａの周縁部は、ディスク４が填り込んで位置決めされやすいように、底部へ向かうにつれて径が小さくなるテーパ状としても良い。なお、同図はトレイ２が筐体１から全開きモードでせり出した様子を示している。
【００２４】
凹部２ａの奥側略半分の周縁部２ａａは、外側との段差が大きくなっており、深い窪みを形成している。一方、凹部２ａの手前側略半分の周縁部２ａｂは、外側との段差が小さくなっており、浅い（若しくは平面に近い）窪みを形成している。これにより、半開きモードでトレイ２がディスク直径の略半分の距離だけしかせり出さなかった場合でも、トレイ２上のディスク４を手前に滑らせて取り出すことができ、また逆に、ディスク４を手前から滑らせてトレイ２上に載置することもできる。
【００２５】
図２は、本実施形態におけるトレイの動作を説明する側面断面図である。同図（ａ）はトレイ２が筐体１から半開きモードでせり出した状態を示しており、同図（ｂ）はトレイ２が筐体１内に引き込まれた状態を示している。同図において、トレイ２の先端に設けられた扉３は、図示しないスライド機構或いはリンク機構若しくはアーム等により、上下稼動自在となっている。一方、筐体１に開けられたトレイ２の出入口（不図示）下部には、ブロック５が設けられている。
【００２６】
同図（ａ）に示すように、トレイ２が筐体１からせり出したときは、扉３は自重若しくは図示しないバネ等の弾性体で付勢されることにより、降下した状態となっている。このとき、トレイ２上面前方は開放され、ここには障壁となるものがなくなるので、トレイ２上のディスク４を手前に滑らせて取り出しやすくなる。
【００２７】
また、同図（ｂ）に示すように、トレイ２が筐体１内に引き込まれたときは、扉３はブロック５の斜面を登って矢印で示すようにせり上がり、筐体１に開けられたトレイ２の出入口（不図示）を閉じる。このとき、トレイ２上のディスク４が扉３により固定されるので、ディスクを装着して回転するターンテーブルへのチャッキングのズレが防止され、ディスクの傷付きや信号読み取りミス等がなくなる。
【００２８】
図３は、本実施形態における扉の動作を説明する拡大側面断面図である。同図（ａ）はトレイ２が引き込まれる途中の状態を示しており、同図（ｂ）は引き込みが完了した状態を示している。同図（ａ）に示すように、ブロック５には前方に向かって下り坂となる斜面５ａが設けられており、一方、扉３下部にはブロック５の斜面５ａと当接する斜面３ａが設けられている。
【００２９】
トレイ２がせり出している間は、同図（ａ）に示すように、扉３は上述したように降下した状態となっている。ここで、矢印ａで示すようにトレイ２が引き込まれると、この引き込みが完了する直前に、扉３の斜面３ａがブロック５の斜面５ａに当接し、これを登る。そして、同図（ｂ）に示すように、扉３は矢印ｂのようにせり上がり、トレイ２の出入口（不図示）を閉じる。
【００３０】
なお、扉３の駆動は、上述したように斜面を登ってせり上がるといった構成に限定されるものではなく、別途カム機構等を用いる構成としても良い。また、扉３は上下動する構成に限定されるものではなく、例えば下端を軸として前後に回動し開閉する構成としても良い。
【００３１】
図４は、本発明の第２の実施形態に係るディスクドライブ装置の、トレイの構成を模式的に示す側面断面図である。同図（ａ）はトレイ２が筐体１からせり出した位置で、ディスク４が載置されたときの状態を示しており、同図（ｂ）はトレイ２が筐体１からせり出す途中の状態を示している。本実施形態では、以下に述べるように、ディスクの挿入時にはトレイにディスクを固定し、排出時には固定を解除する構成としている。
【００３２】
同図に示すように、トレイ２上には、奥側でディスク４を受け止めるレバー６と、中間部付近でディスク４の固定を解除するレバー７と、手前側でディスク４を固定するレバー８とが設けられており、それぞれ軸６ａ，７ａ，８ａでトレイ２に対して回動自在に枢支されている。なおこの場合、レバー６とレバー８はその中央付近で、またレバー７はその上端付近で枢支されている。
【００３３】
また、各レバーはリンク９で連結されており、それぞれ軸６ｂ，７ｂ，８ｂでリンク９に対して回動自在に枢支されている。なおこの場合、レバー６とレバー８はその下端付近で、またレバー７はその中央付近で枢支されている。一方、筐体１に開けられたトレイ２の出入口（不図示）下部には、突起１０が設けられている。
【００３４】
さて、同図（ａ）に示すように、トレイ２にディスク４が載置され、これにより矢印Ａ方向にレバー６が押されると、レバー６は奥側に傾く。そして、この動きがリンク９に伝達され、リンク９は手前側に移動する。更にこの動きがレバー７及びレバー８に伝達され、それぞれのレバーが略直立した状態となる。この結果、レバー８によりディスク４が固定される。この状態で、矢印Ｂ方向にトレイ２が筐体１に引き込まれても、ディスク４はトレイ２に固定されているので、チャッキングのズレが防止される。
【００３５】
逆に、同図（ｂ）に示すように、矢印Ｃ方向にトレイ２が筐体１からせり出すと、その途中でレバー７が突起１０に当接し、これにより矢印Ｄ方向にレバー７が押され、レバー７は手前側に傾く。そして、この動きがリンク９に伝達され、リンク９は奥側に移動する。更にこの動きがレバー６及びレバー８に伝達され、レバー６は略直立した状態となり、レバー８は手前側に傾いた状態となる。この結果、ディスク４の手前側の固定が解除される。この状態で、ディスク４を手前に滑らせて取り出すことができるようになり、また逆に、ディスク４を手前から滑らせてトレイ２上に載置することができるようになる。
【００３６】
ところで、トレイ２が筐体１に引き込まれる際にも、レバー７が突起１０に当接し、レバー７は奥側に傾くこととなるが、このときのレバー７の動きが他のレバーに伝達されないようにする必要がある。即ち、レバー７が奥側に傾く範囲で遊びを設けてリンク９に対してフリーとし、突起１０から離れたときにバネ等の弾性体により元の状態（略直立状態）に戻る構成としておけば良い（不図示）。また、本実施形態では扉については言及しなかったが、これはトレイ２の先端に設けても良いし、筐体１側に設けても良い。
【００３７】
なお、ディスク４をトレイ２に対して固定，解除する手段としては、本実施形態のようにリンク機構を使用した構成に限定されるものでは勿論なく、例えばディスク４の手前側と奥側との間でシーソーのようにレバーが上下する構成としても良いし、その他様々なものが考えられる。
【００３８】
特許請求の範囲で言う第１のレバーは、実施形態におけるレバー６に対応しており、以下、第２のレバーはレバー８に、第３のレバーはレバー７にそれぞれ対応している。
【００３９】
【発明の効果】
以上説明したように、本実施形態によれば、簡単な構成で、省スペースでしかも汎用性に優れたディスクドライブ装置を提供することができる。
【００４０】
具体的には、ディスク排出時にトレイがディスク直径の略半分の距離だけ移動する半開きモードを備えることにより、従来と同様に省スペース化を図っている。加えて、トレイ上面の凹部の手前側略半分は浅い窪みとすることにより、トレイが半開きモードでディスク直径の略半分の距離だけしかせり出さなかった場合でも、トレイ上のディスクを手前に滑らせて取り出すことができ、また逆に、ディスクを手前から滑らせてトレイ上に載置することもできるようにしている。
【００４１】
また、トレイが筐体からせり出したときは、トレイ先端の扉は降下した状態となり、トレイ上面前方には障壁となるものがなくなるので、トレイ上のディスクを手前に滑らせて取り出しやすくなる。或いはディスクを手前から滑らせてトレイ上に載置しやすくなる。また、トレイが筐体内に引き込まれたときは、扉はせり上がり、筐体に開けられたトレイの出入口を閉じる。このとき、トレイ上のディスクが固定されるので、チャッキングのズレが防止され、ディスクの傷付きや信号読み取りミス等がなくなる。
【００４２】
また、別の構成として、例えばリンク機構を使用することにより、トレイにディスクが載置されたときにこれが固定され、またトレイが筐体からせり出したときにディスクの固定が解除されるようにしている。この構成により、トレイが筐体に引き込まれたときはチャッキングのズレが防止され、また、トレイが筐体からせり出したときはトレイ上のディスクを手前に滑らせて取り出しやすくなる。或いはディスクを手前から滑らせてトレイ上に載置しやすくなる。
【００４３】
その他、本発明では、基本的にトレイ構造のみに特徴がある構成となっており、筐体には殆ど影響がないので、例えばパソコン筐体に組み込む仕様とする場合でも、パソコン筐体の何れの段のスペースにも組み込むことが可能である。このようにして、パソコン筐体の改造も不用で、しかもレイアウトに制約がなく、汎用性の高いものとなっている。
【００４４】
さらに、本発明はカーオーディオ用としても有効である。通常のカーオーディオ装置は、ディスクのみ孔に挿入するタイプが主流であるが、本発明のような構成とすることにより、半開きモードで場所を取らず、しかも正面よりディスクを安定して載置することが可能となる。加えて、直径１２ｃｍのディスクのみならず、直径８ｃｍのシングルＣＤ等の、小径のディスクにも適応可能となる。
【図面の簡単な説明】
【図１】本発明の第１の実施形態におけるトレイの構成を模式的に示す図。
【図２】本実施形態におけるトレイの動作を説明する側面断面図。
【図３】本実施形態における扉の動作を説明する側面断面図。
【図４】本発明の第２の実施形態におけるトレイの構成を模式的に示す図。
【図５】従来のディスクドライブ装置のトレイの構成例を模式的に示す図。
【符号の説明】
１    筐体
２    トレイ
２ａ    凹部
３    扉
４    ディスク
５    ブロック
６〜８    レバー
９    リンク
１０    突起
【図１】
2004265555.tif 000003
【図２】
2004265555.tif 000004
【図３】
2004265555.tif 000005
【図４】
2004265555.tif 000006
【図５】
2004265555.tif 000007